(57)【特許請求の範囲】
【請求項１】
追い焚き熱交換器を共通加熱源として風呂側の追い焚き循環管路と暖房側の暖房循環管路が設けられ、追い焚き熱交換器の入口側および出口側には追い焚き循環管路と暖房循環管路の流路切り換えを行う流路切り換え弁が設けられ、また、暖房循環管路に洗浄用作動弁が設けられ、この洗浄用作動弁と追い焚き熱交換器との間の管路には注湯管の出口側が接続され、注湯管の入口側は給湯器の給湯管に接続され、注湯管には注湯弁が介設されている暖房風呂兼用装置。
【請求項２】
追い焚き熱交換器を共通加熱源として風呂側の追い焚き循環管路と暖房側の暖房循環管路が設けられ、追い焚き熱交換器の入口側および出口側には追い焚き循環管路と暖房循環管路の流路切り換えを行う流路切り換え弁が設けられ、また、追い焚き循環管路に洗浄用作動弁が設けられ、この洗浄用作動弁と追い焚き熱交換器との間の管路には注湯管の出口側が接続され、注湯管の入口側は給湯器の給湯管に接続され、注湯管には注湯弁が介設されている暖房風呂兼用装置；の暖房運転方法において、風呂使用後に暖房運転を行う場合には、流路切り換え弁の追い焚き循環管路への切り換え動作を行い、洗浄用作動弁の逆止閉作動状態で、注湯弁を開いて給湯器からきれいな水を追い焚き熱交換器を通し追い焚き熱交換器を含む通水管路内の洗浄を行い、この管路洗浄の後に注湯弁の閉動作と流路切り換え弁の暖房循環管路への切り換え動作を行い、暖房循環管路の通水循環を可能にした状態で暖房動作を開始する暖房風呂兼用装置の暖房運転方法。
【請求項３】
追い焚き熱交換器を共通加熱源として風呂側の追い焚き循環管路と暖房側の暖房循環管路が設けられ、追い焚き熱交換器の入口側および出口側には追い焚き循環管路と暖房循環管路の流路切り換えを行う流路切り換え弁が設けられ、また、暖房循環管路に洗浄用作動弁が設けられ、この洗浄用作動弁と追い焚き熱交換器との間の管路には注湯管の出口側が接続され、注湯管の入口側は給湯器の給湯管に接続され、注湯管には注湯弁が介設されている暖房風呂兼用装置；の暖房運転方法において、風呂使用後に暖房運転を行う場合には、流路切り換え弁の追い焚き循環管路への切り換え動作を行い、洗浄用作動弁の逆止閉作動状態で、注湯弁を開いて給湯器からきれいな水を追い焚き熱交換器を通し追い焚き熱交換器を含む通水管路内の洗浄を行い、この管路洗浄の後に注湯弁の閉動作と流路切り換え弁の暖房循環管路への切り換え動作を行い、暖房循環管路の通水循環を可能にした状態で暖房動作を開始する暖房風呂兼用装置の暖房運転方法。
【発明の詳細な説明】
【０００１】
【産業上の利用分野】
本発明は、室内暖房と風呂の追い焚き機能とを備えた暖房風呂兼用装置およびその装置の暖房運転方法に関するものである。
【０００２】
【従来の技術】
図７および図９には従来の一般的な暖房風呂兼用装置の模式構成が示されている。図７に示す装置において、浴槽１に追い焚き循環ポンプ２を組み込んだ追い焚き循環管路３が接続されている。この追い焚き循環管路３には注湯管４の出口側が連通接続され、注湯管４の入口側は電磁弁等の注湯弁５を介して給湯器６の給湯管７に接続されており、給湯器６の給湯熱交換器８で作り出した湯を注湯弁５を開いて追い焚き循環管路３に導き、この追い焚き循環管路３から浴槽１内に湯張りが可能となっている。
【０００３】
前記追い焚き循環管路３には水−水熱交換器１０が設けられており、この水−水熱交換器１０の熱源タンク１１は暖房循環管路１２に組み込まれている。この暖房循環管路には、加熱手段として機能する加熱熱交換器１３と、暖房熱交換器１４と、リザーブタンク９と、暖房循環ポンプ１５が組み込まれている。前記加熱熱交換器１３の近傍にはバーナ１６が設けられ、このバーナ１６の燃焼火力でもって暖房循環管路１２を還流する熱媒体を加熱するようになっており、また、暖房熱交換器１４の近傍にはファン１７が設けられ、このファン１７の回転により暖房熱交換器１４の熱を室内に導いて室内暖房が行われるようになっている。
【０００４】
浴槽１に湯張りされた湯水の追い焚きを行うときには、追い焚き循環ポンプ２をポンプ駆動して追い焚き循環管路３を通して浴槽湯水を循環し、この循環湯水が水−水熱交換器１０の熱源タンク１１内を通るときに熱源タンク１１の熱媒体から熱を奪って湯水温度を高め、浴槽湯水の追い焚きが行われる。
【０００５】
一方、図９に示す装置は実開昭６０−４８０１３号公報に開示されているもので、追い焚き熱交換器１８側の管路と浴槽１側の管路と暖房熱交換器１４側の管路を三方弁９ａ，９ｂを介して接続している。この装置では、風呂の追い焚きを行うときには、追い焚き熱交換器１８側と浴槽１側の管路を接続し、追い焚き循環ポンプ２を駆動して、浴槽１の湯水を追い焚き熱交換器１８に循環供給することにより行われる。また、暖房運転に際しては、浴槽１内の湯の温度が高いうちは浴槽１側と暖房熱交換器１４側の管路を接続し、暖房循環ポンプ１５を駆動して浴槽１の湯を暖房熱交換器１４に通して循環させることにより行い、浴槽の湯が冷えたときには追い焚き熱交換器１８側と暖房熱交換器１４側の管路を接続し、追い焚き熱交換器１８で加熱した湯を暖房熱交換器１４に循環供給することにより行われる。
【０００６】
【発明が解決しようとする課題】
しかしながら、従来の図７に示す装置では、浴槽湯水の追い焚きを行うときには熱源タンク１１内の熱媒体の温度を高めなければならないため、暖房運転を共に行わなければならず、非常に不便であり、燃料コストの無駄があった。
【０００７】
このような不便を解消するために、図８に示すように、加熱熱交換器１３を追い焚き用の熱交換器として使用し、水−水熱交換器１０を暖房用の加熱源として使用することもできるが、そうすると、暖房を行うときには、必ず浴槽１内に湯を張っておかなければならないという不便が生じる。
【０００８】
また、図９に示す装置においては、風呂側の汚水が暖房側の管路に入り込み、浴槽内の髪の毛等が暖房循環ポンプ１５や暖房熱交換器１４に絡み付く等して暖房運転に支障を来すという問題が生じる。
【０００９】
本発明は上記課題を解決するためになされたものであり、その目的は、暖房運転と切り離して浴槽湯水の追い焚きを行うことができ、しかも、浴槽に湯を張っていなくとも暖房運転を行うことができるとともに、風呂側の汚水によって暖房側に支障を来すことがない暖房風呂兼用装置およびその装置の暖房運転方法を提供することにある。
【００１０】
【課題を解決するための手段】
本発明は上記目的を達成するために、次のように構成されている。すなわち、本発明の暖房風呂兼用装置は、追い焚き熱交換器を共通加熱源として風呂側の追い焚き循環管路と暖房側の暖房循環管路が設けられ、追い焚き熱交換器の入口側および出口側には追い焚き循環管路と暖房循環管路の流路切り換えを行う流路切り換え弁が設けられ、また、暖房循環管路に洗浄用作動弁が設けられ、この洗浄用作動弁と追い焚き熱交換器との間の管路には注湯管の出口側が接続され、注湯管の入口側は給湯器の給湯管に接続され、注湯管には注湯弁が介設されていることを特徴として構成されている。
【００１１】
また、本発明の第１の暖房風呂兼用装置の暖房運転方法は、追い焚き熱交換器を共通加熱源として風呂側の追い焚き循環管路と暖房側の暖房循環管路が設けられ、追い焚き熱交換器の入口側および出口側には追い焚き循環管路と暖房循環管路の流路切り換えを行う流路切り換え弁が設けられ、また、追い焚き循環管路に洗浄用作動弁が設けられ、この洗浄用作動弁と追い焚き熱交換器との間の管路には注湯管の出口側が接続され、注湯管の入口側は給湯器の給湯管に接続され、注湯管には注湯弁が介設されている暖房風呂兼用装置；の暖房運転方法において、風呂使用後に暖房運転を行う場合には、流路切り換え弁の追い焚き循環管路への切り換え動作を行い、洗浄用作動弁の逆止閉作動状態で、注湯弁を開いて給湯器からきれいな水を追い焚き熱交換器を通し追い焚き熱交換器を含む通水管路内の洗浄を行い、この管路洗浄の後に注湯弁の閉動作と流路切り換え弁の暖房循環管路への切り換え動作を行い、暖房循環管路の通水循環を可能にした状態で暖房動作を開始することを特徴として構成されている。
【００１２】
さらに、本発明の第２の暖房風呂兼用装置の暖房運転方法は、追い焚き熱交換器を共通加熱源として風呂側の追い焚き循環管路と暖房側の暖房循環管路が設けられ、追い焚き熱交換器の入口側および出口側には追い焚き循環管路と暖房循環管路の流路切り換えを行う流路切り換え弁が設けられ、また、暖房循環管路に洗浄用作動弁が設けられ、この洗浄用作動弁と追い焚き熱交換器との間の管路には注湯管の出口側が接続され、注湯管の入口側は給湯器の給湯管に接続され、注湯管には注湯弁が介設されている暖房風呂兼用装置；の暖房運転方法において、風呂使用後に暖房運転を行う場合には、流路切り換え弁の追い焚き循環管路への切り換え動作を行い、洗浄用作動弁の逆止閉作動状態で、注湯弁を開いて給湯器からきれいな水を追い焚き熱交換器を通し追い焚き熱交換器を含む通水管路内の洗浄を行い、この管路洗浄の後に注湯弁の閉動作と流路切り換え弁の暖房循環管路への切り換え動作を行い、暖房循環管路の通水循環を可能にした状態で暖房動作を開始することを特徴として構成されている。
【００１３】
【作用】
上記構成の本発明において、流路切り換え弁を追い焚き循環管路側に切り換えて追い焚き循環管路内の浴槽湯水を循環加熱することにより、浴槽湯水の追い焚きが行われる。
【００１４】
また、流路切り換え弁を暖房循環管路側に切り換え、暖房循環管路に熱媒体としての湯水を循環させ、追い焚き熱交換器でその循環湯水を加熱することにより、循環熱媒体が加熱され、その加熱媒体の熱が室内に送り込まれることで、室内暖房が行われる。
【００１５】
本発明では浴槽湯水の追い焚きを行った後、室内暖房を行うときには、流路切り換え弁を追い焚き循環管路側にした状態で、給湯器側からきれいな水（湯を含む）を追い焚き循環管路を通して、追い焚き熱交換器を含む通水管路内を洗浄し、その後で、流路切り換え弁を暖房循環管路側に切り換えて暖房運転を行うので、浴槽湯水の追い焚きにより追い焚き熱交換器に残っていた風呂側の汚水が暖房循環管路に入り込むことがなくなり、風呂側の汚水中の髪の毛等が暖房循環管路中の弁等に絡み付いて暖房運転に支障を来すということもなくなる。
【００１６】
【実施例】
以下、本発明の実施例を図面に基づいて説明する。なお、以下の実施例の説明において、従来例と同一の名称部分には同一符号を付し、その重複説明は省略する。
【００１７】
図１には本発明の第１の実施例を示す暖房風呂兼用装置の構成が示されている。同図において、浴槽１には追い焚き循環管路３が接続されており、この追い焚き循環管路３には追い焚き循環ポンプ２と追い焚き熱交換器１８とが組み込まれており、追い焚き熱交換器１８はバーナ１６により加熱されるようになっている。追い焚き循環管路３の戻り管２１には洗浄用作動弁として機能する電磁弁等の開閉弁２２が介設されており、追い焚き循環ポンプ２の吐出側から追い焚き熱交換器１８の入口側に至る管路には逆止弁２３が介設されている。この逆止弁２３と追い焚き循環ポンプ２間の管路には注湯管４の出口側が連通接続され、注湯管４の入口側は注湯弁５を介して給湯器６の給湯管７に接続され、給湯器側から追い焚き循環管路３を通して浴槽１に湯張りが可能となっている。
【００１８】
追い焚き循環管路３の往管２４の浴槽近傍側には三方弁２５が設けられており、この三方弁２５の弁切り換えにより、追い焚き熱交換器１８から供給されてくる湯水を浴槽側と排水管２６側に切り換え可能となっている。
【００１９】
本実施例において特徴的なことは、追い焚き循環管路３の追い焚き熱交換器１８を共通加熱源として暖房循環管路１２が形成されていることである。この暖房循環管路１２には暖房熱交換器１４とリザーブタンク９と暖房循環ポンプ１５が組み込まれており、暖房循環ポンプ１５の吐出側と追い焚き熱交換器１８の入口側に至る管路には電磁弁２７が介設されている。また、暖房熱交換器１４の近傍には該暖房熱交換器１４の熱を室内に送り込むファン１７が設けられている。
【００２０】
追い焚き熱交換器１８の入口側と出口側には追い焚き循環管路３と暖房循環管路１２の流路を切り換えるための流路切り換え弁２８，２９が三方弁を用いて設けられている。
【００２１】
これら、各弁５，２２，２５，２７，２８，２９と、循環ポンプ２，１５の各動作と、ファン１７の回転やバーナ１６の燃焼運転の動作は制御装置３０により制御されている。この制御装置３０にはシーケンスプログラムが予め与えられており、このプログラムに従い、追い焚き運転および暖房運転を行っており、この制御装置３０には追い焚き運転や暖房運転を指令するリモコン３１が接続されている。
【００２２】
この実施例の装置により浴槽湯水の追い焚きを行う場合には、開閉弁２２を開け、流路切り換え弁２８，  ２９を追い焚き循環管路側に切り換え、さらに、三方弁２５を浴槽側に切り換えた後、追い焚き循環ポンプ２を駆動し、浴槽湯水を追い焚き循環管路３を通して循環させる。その一方で、バーナ１６を燃焼し、追い焚き熱交換器１８を通る循環湯水を加熱することにより浴槽湯水は所望の設定温度に追い焚きされる。
【００２３】
風呂の使用後、浴槽湯水を排水し、室内暖房を行うときには、まず、三方弁２５を排水管２６側に切り換え、開閉弁２２と電磁弁２７を閉じ、流路切り換え弁２８，２９を追い焚き循環管路側にしたまま注湯弁５を開けて給湯器６側からきれいな水（湯を含む）を注湯管４を通して追い焚き循環管路３側に送り込む。そうすると、このきれいな水は逆止弁２３側から流路切り換え弁２８、追い焚き熱交換器１８、流路切り換え弁２９を順に通り、往管２４を介して三方弁２５から排水管２６を通って外に排水される。このように、給湯器６側からきれいな水を通水することにより、追い焚き熱交換器１８を含む追い焚き循環管路３内の通水管路がきれいに洗浄され、追い焚き時の汚水は排水管２６から排出される。
【００２４】
この管路洗浄を行った後、注湯弁５を閉じ、電磁弁２７を開け、流路切り換え弁２８，２９を暖房循環管路側に切り換えて、暖房循環ポンプ１５を回転駆動することにより、暖房循環管路１２内の湯水は暖房循環管路１２内を循環し、この循環湯水が追い焚き熱交換器１８を通るときに加熱されることで高温の湯となり、この湯が暖房熱交換器１４を通ることで、暖房熱交換器１４の保有熱量が高められる。この暖房熱交換器１４の保有熱量はファン１７の回転により暖気となって室内に導かれ、室内の暖房が行われる。
【００２５】
本実施例によれば、追い焚き熱交換器１８を追い焚きと暖房の共通の加熱源として兼用し、流路切り換え弁２８，２９により追い焚き循環管路３と暖房循環管路１２との流路切り換えが行われるので、暖房運転と追い焚き運転を別個独立に行うことができ、従来例の図７の装置の問題点、つまり、追い焚き運転を行うときには暖房運転を必ず行わなければならないという不便を解消することができる。
【００２６】
また、本実施例では、流路切り換え弁２８，２９により追い焚き循環管路３と暖房循環管路１２の切り換えを行うので、浴槽１に湯水が張られていると否とに拘わらず暖房運転を行うことができ、使用上非常に便利である。
【００２７】
さらに、本実施例では、風呂の使用後暖房運転を行うときには追い焚き熱交換器１８を含む追い焚き循環管路内を給湯器側からのきれいな水によって通水洗浄し、その後に暖房運転を行うので、追い焚き熱交換器１８を暖房用の加熱源として共通使用しても、風呂使用時の汚水が暖房循環管路内に入り込むことがない。したがって、暖房循環管路内が風呂汚水によって汚されるということがなく、非常に衛生的であり、また、風呂使用時の髪の毛等が暖房熱交換器１４内や暖房循環ポンプ１５内に絡みついて暖房運転上支障を来すということもない。
【００２８】
図２には本発明の第２の実施例が示されている。この第２の実施例が前記第１の実施例と異なる特徴的なことは、追い焚き熱交換器１８の入口側と流路切り換え弁２８との間に追い焚き循環のポンプと暖房循環のポンプを兼ねる共通の循環ポンプ３２を追い焚き熱交換器１８と一体にユニット化して設けたことである。このように、１台のポンプ３２で追い焚き循環と暖房循環を行うようにすることで、前記第１の実施例では２台必要であった循環ポンプ２，１５を１台のポンプで足りることとなるので、装置構成の簡易化と小型化が可能となり、装置の組立施工作業も容易化されることとなり、装置および施工の大幅なコスト低減を図ることが可能となる。
【００２９】
図３には本発明の第３の実施例が示されている。この実施例が前記第１、第２の各実施例と異なる特徴的なことは、暖房循環ポンプ１５と流路切り換え弁２８との間の暖房循環管路１２に開閉弁２２を介設し、この開閉弁２２と流路切り換え弁２８間に注湯管４の出側を接続したことと、前記第１、第２の実施例の浴槽１近傍に設けた三方弁２５を省略したことである。なお、図中、３３は電磁弁、３５は三方弁、３６はバイパス流路をそれぞれ示している。また、図中のＢＶは、通常は閉状態にあるが、ある一定圧力がかかると開となるブローバルブを示している。
【００３０】
この実施例も前記各実施例と同様に、暖房運転を開始するときには、それに先立って開閉弁２２を閉じて給湯器６側からの湯水を、注湯管４を介して追い焚き循環管路に通水することで、通水管路の洗浄が行われ、この洗浄後に暖房運転へ移行することとなる。
【００３１】
この実施例では、図１、図２に示すシステム中の前記三方弁２５を省略したので、装置の設置施工が容易になることと、従来から設置されている器具（例えば風呂釜）を新たに購入した器具と交換するような場合、新たな配線管路を増設する必要がないので、浴室への新たな配線工事ができないという制約があるような場合等に非常に有利となる（三方弁を浴室に設置すると、浴室と器具間の配線工事が必要になる）。
【００３２】
図４は複数部屋の切り換え暖房システムの一例を示したもので、各室ごとに、暖房熱交換器１４と該暖房熱交換器１４に通じる通路の開閉を行なう暖房切換弁３６とを配設し、これらの暖房切換弁３６を開閉することにより各室の暖房切り換えが行なわれる。全室の暖房切換弁３６が閉の場合、暖房循環ポンプ１５の振動が大きくなるが、これを避けるため、この実施例ではバイパス通路３７を設けてある。リザーブタンク９は暖房循環管路１２内の熱媒体（この実施例では水）の膨張による体積変化を緩和調節する働きをしている。
【００３３】
なお、本発明は上記各実施例に限定されることはなく、様々な実施の態様を採り得る。例えば、上記第１、第２の各実施例では暖房循環管路１２内に電磁弁２７を設けたが、この電磁弁２７は逆止弁でもかまわないし又は省略してもよい。また、逆止弁２３は電磁弁でもかまわないし又は省略してもよい。
【００３４】
また、各実施例では流路切り換え弁２８，２９を三方弁により構成したが、三方弁以外の構成としてもよく、例えば、追い焚き熱交換器１８の入口側と出口側のそれぞれの暖房側の管路と追い焚き側の管路に電磁弁等の開閉弁を設け、これを流路切り換え弁としてもよい。同様に、浴槽側と排水管２６側の流路を切り換える弁を三方弁２５以外の他の構成の弁としてもよいし、三方弁２５、排水管２６を設けず浴槽内に排水するようにしてもよい。また、三方弁２５、排水管２６や図３で示される逆止弁ＢＶによる排水部は、浴室内に設けてもよいし、器具内に設けても構わず、取り付け場所は限定されるものではない。
【００３５】
さらに、第１、第２の各実施例では追い焚き循環管路３の戻り管２１側に開閉弁２２を設け、戻り管２１側に注湯管４を接続したが、これとは異なり、例えば図５および図６で示すように往管２４側に開閉弁２２を設け、往管２４側に注湯管４を接続するようにしてもよい。
【００３６】
さらに、図５および図６で示される三方弁２５、排水管２６は、図３で示される逆止弁２３とＢＶにより構成しても構わない。同様に、図３で示される逆止弁２３とＢＶは三方弁２５、排水管２６で構成されていても構わない（戻り管２１に取り付けられる場合、逆止弁２３とＢＶは三方弁２５と排水管２６と同等となる）。
【００３７】
さらに、図３では、ポンプ２，１５を２台用いているが、図２に示す第２の実施例と同様にこれをポンプ１台としても構わない。また、図２の例では、このポンプは追い焚き熱交換器１８と流路切り換え弁２８間にあるが、追い焚き熱交換器１８と流路切り換え弁２９間にあっても構わない。
【００３８】
さらに、図３では、流路切り換え弁２８側の暖房循環路１２に開閉弁２２を介設したが、これを流路切り換え弁２９側に介設しても構わない。この場合、三方弁３５、電磁弁３３、バイパス路３６が省略される（図１０）。この場合も同様に、逆止弁２３とＢＶは三方弁２５、排水管２６で構成されても構わないし、また、ポンプ２台を１台としても構わない。
【００３９】
さらに、上記各実施例では洗浄用作動弁を開閉弁２２で構成したが、この洗浄用作動弁は通水作動状態でポンプ駆動による熱媒体（実施例では水）を弁開状態で通し、注湯管４からの通水による管路洗浄時の逆止閉作動状態で注湯管４からの水を追い焚き熱交換器１８側へ導き、逆方向への流れは弁閉状態で阻止する機能を有するものであればよく、逆止弁等の他の構成の弁であってもよい。
【００４０】
【発明の効果】
本発明は追い焚き熱交換器を共通の加熱源として追い焚き循環管路と暖房循環管路を形成し、この追い焚き循環管路と暖房循環管路を追い焚き熱交換器の入口側および出口側で流路切り換え弁により切り換えるように構成したので、追い焚き運転と暖房運転を別個独立に行うことができ、追い焚き運転を行うときには常に暖房運転も一緒に行わなければならないという従来の不都合を解消することができる。
【００４１】
また、風呂使用後に暖房運転を行うときには、給湯器側のきれいな水を追い焚き熱交換器を含む追い焚き循環管路に通水して管路洗浄を行った後に暖房運転を行うようにしたので、追い焚き熱交換器を追い焚き用と暖房用に共有しても、追い焚き時の風呂汚水が暖房運転時に暖房循環管路に入り込むことがなく好都合である。
【図面の簡単な説明】
【図１】本発明に係る暖房風呂兼用装置の第１の実施例を示すシステム構成図である。
【図２】本発明装置の第２の実施例を示すシステム構成図である。
【図３】本発明の第３の実施例を示すシステム構成図である
【図４】複数部屋暖房のシステム例の説明図である。
【図５】他の実施例のシステム構成図である。
【図６】さらに他の実施例のシステム構成図である。
【図７】従来の一般的な暖房風呂兼用装置のシステム図である。
【図８】図７のシステムの変形例を示す説明図である。
【図９】暖房風呂兼用装置の他の従来例を示すシステム図である。
【図１０】本発明のさらに他の実施例の説明図である。
【符号の説明】
３  追い焚き循環管路
６  給湯器
１２  暖房循環管路
１５  暖房循環ポンプ
１８  追い焚き熱交換器
２２  開閉弁
２８，２９  流路切り換え弁
【図１】
0003554574.tif 000002
【図２】
0003554574.tif 000003
【図３】
0003554574.tif 000004
【図４】
0003554574.tif 000005
【図５】
0003554574.tif 000006
【図６】
0003554574.tif 000007
【図７】
0003554574.tif 000008
【図８】
0003554574.tif 000009
【図９】
0003554574.tif 000010
【図１０】
0003554574.tif 000011